(57)【特許請求の範囲】
【請求項１】
ドア開口枠の吊元側縦枠とドアの吊元側縦框とを支軸と軸受を長手方向にスライド嵌合したアルミヒンジにより回動自在に連結してドアを吊元側縦枠に開閉自在に装着したドアの吊元装置であって，上記吊元側縦枠を，縦枠基体とこれに添設固定自在とし且つ上記アルミヒンジ一方の支軸又は軸受を備えた縦枠アタッチメントとに分離形成し，上記吊元側縦框を，上記アルミヒンジ他方の軸受又は支軸を備えるとともにドアの非開閉方向において上記縦枠アタッチメントを覆うように縦枠アタッチメント側に突設した吊元カバーを備えて形成してなることを特徴とするドアの気密吊元装置。
【請求項２】
ドア開口枠を構成する吊元側縦枠に代えて，ドア開口枠の吊元側に設置した吊元側縦枠を用いてなることを特徴とする請求項１に記載のドアの気密吊元装置。
【請求項３】
上記吊元側縦枠の縦枠アタッチメントを，縦枠基体に対して前後方向けんどん状に嵌合装着して固定手段によって固定することによって添設固定自在としてなることを特徴とする請求項１又は２に記載のドアの気密吊元装置。
【発明の詳細な説明】
【０００１】
【発明の属する技術分野】
本発明は，玄関ドアや室内ドアに好適に用いられるドアの気密吊元装置に関する。
【０００２】
【従来の技術】
この種ドアの吊元装置は，建具金物の上下一対の丁番を用いて，これをドア開口枠を構成する吊元側縦枠とドアの吊元側端部間に，上下に離隔して介設し，ドア開口枠の吊元側縦枠にドアの吊元側端部を開閉自在にヒンジ連結してなるものとされている。
【０００３】
【発明が解決しようとする課題】
しかし乍らこの場合，ドアの開閉自在性は得られても，一対の丁番は上下に離隔して介設されるため，丁番以外の部分では吊元側縦枠にドアの吊元側端部，特に一般にはその端面が対向することになり，この間に内外に通じる隙間が存在する結果，この隙間から空気や音が流入し，気密性や遮音性が損われて，ドアによる遮断性を充分に確保し得ないという問題点を残している。
【０００４】
本発明はかかる事情に鑑みてなされたもので，その解決課題とする処は，吊元側縦枠とドアの吊元側端部とを密封することにより，その間の気密性，遮音性を確保するとともにドアの開閉をスムーズ且つ安定して行い得るようにしたドアの気密吊元装置を提供するにある。
【０００５】
【課題を解決するための手段】
上記課題に添って本発明は，ドア開口枠を構成する吊元側縦枠とドアの吊元側端部との間に，支軸と軸受とを長手方向にスライド嵌合することによって前後方向に回動自在としたドア開口枠開口高さのアルミヒンジを用いてヒンジ連結することによってドアを開閉自在とするとともにこれらの間を密封する一方，上記吊元側縦枠を，縦枠基体とこれに添設固定自在の縦枠アタッチメントとによって分離形成して，上記アルミヒンジをこの縦枠アタッチメントと吊元側端部間に介設するものとすることにより，ドアの吊元側端部にこのアルミヒンジを介して縦枠アタッチメントを付した状態で，これをドア開口枠内に挿入し又はドア開口枠に外付して縦枠アタッチメントを縦枠基体に添設固定するようにし，また良好な納まり外観を確保し得るように縦枠アタッチメントを覆う吊元カバーを備えたものとしたものであって，即ち請求項１に記載の発明を，ドア開口枠の吊元側縦枠とドアの吊元側縦框とを支軸と軸受を長手方向にスライド嵌合したアルミヒンジにより回動自在に連結してドアを吊元側縦枠に開閉自在に装着したドアの吊元装置であって，上記吊元側縦枠を，縦枠基体とこれに添設固定自在とし且つ上記アルミヒンジ一方の支軸又は軸受を備えた縦枠アタッチメントとに分離形成し，上記吊元側縦框を，上記アルミヒンジ他方の軸受又は支軸を備えるとともにドアの非開閉方向において上記縦枠アタッチメントを覆うように縦枠アタッチメント側に突設した吊元カバーを備えて形成してなることを特徴とするドアの気密吊元装置としたものである。
【０００６】
請求項２に記載の発明は，上記に加えて，ドア開口枠の材質に拘らず，或いはドア改修に際してこれらに対応し得るように，これを，ドア開口枠を構成する吊元側縦枠に代えて，ドア開口枠の吊元側に設置した吊元側縦枠を用いてなることを特徴とする請求項１に記載のドアの気密吊元装置としたものである。
【０００７】
請求項３に記載の発明は，同じく上記に加えて，上記縦枠アタッチメントを付したドアをドア開口枠内に挿入して設置する場合に，その設置作業を容易且つ確実になし得るように，これを，上記吊元側縦枠の縦枠アタッチメントを，縦枠基体に対して前後方向けんどん状に嵌合装着して固定手段によって固定することによって添設固定自在としてなることを特徴とする請求項１又は２に記載のドアの気密吊元装置としたものである。
【０００８】
本発明はこれらをそれぞれ発明の要旨として上記課題解決の手段としたものである。
【０００９】
【発明の実施の形態】
以下図面に従って本発明を更に具体的に説明すれば，１はドア開口枠，５は該ドア開口枠１の吊元側縦枠，２０は玄関用として上記吊元側縦枠５に開閉自在に装着したドア，２４は該ドア２０の吊元側縦框，４０はこれらと吊元装置を構成し，該吊元側縦枠５と吊元側縦框２４とを支軸と軸受を長手方向にスライド嵌合して回動自在に連結したアルミヒンジを示す。
【００１０】
ドア開口枠１の吊元側縦枠５は，これを縦枠基体６とこれに添設固定自在とし且つ上記アルミヒンジ４０一方の支軸又は軸受を備えた縦枠アタッチメント９とに分離形成したものとしてあり，本例にあってこの縦枠アタッチメント９は，これをドア開口枠１開口高さに形成し，該ドア開口枠１内において縦枠基体６に添設固定自在とするとともにその添設固定を縦枠基体６に対して前後方向けんどん状に嵌合装着して固定手段によって固定することによって行うようにしてあり，該吊元側縦枠５のこれら縦枠基体６及び縦枠アタッチメント９は，これをアルミ押出材製のものとし，該縦枠アタッチメント９にはアルミヒンジ４０一方の支軸４２を一体成形して備えたものとしてある。
【００１１】
即ち本例において上記縦枠基体６は，ドア開口枠１の内周面にしてドア２０との対向面に，溝開口を前後に幅広としたＣ字溝条８をその長手方向一連に形成具備したものとしてあり，また上記縦枠アタッチメント９は，上記Ｃ字溝条８の前後の溝幅よりやや短寸の前後幅にしてこれにそれぞれ嵌合する前後の係合突条１１を有する固定基壁１０と，該固定基壁１０からＬ字状の連結条４１を介して，本例において室外側とした前後方向に向けて連結条４１を介して突設したＣ字突条による上記アルミヒンジ４０一方の上記支軸４２と，上記固定基壁１０から，連結条４１及び支軸４２を本例において室内側から室外側の前後方向に向けて覆うように突設した湾曲条１２とをそれぞれ長手方向一連に形成具備したものとしてある。
【００１２】
また吊元側縦框２４は，これを上記アルミヒンジ４０他方の軸受又は支軸を備えるとともにドア非開閉方向において上記縦枠アタッチメント９を覆うように縦枠アタッチメント９側に突設して吊元カバー２９を備えて形成したものとし，このとき該吊元側縦框２４は，これをアルミ押出材製のものとし，該吊元側縦框２４にはアルミヒンジ４０他方の軸受４３を一体成形して備えたものとしてある。
【００１３】
即ち本例にあって，対向する縦框２３との間で，例えば額縁材３１を介してドアパネル３２を保持する縦框基部２５と，該縦框基部２５の，本例において室外側の面を延長するように，吊元側縦枠５方向に突設した前後一側のフイン状連結条４１を介して，本例において室内側とした前後方向に向けて突設した，その室内側において，例えば１１０°開口したＣ字溝条による上記アルミヒンジ４０他方の上記軸受４３と，本例において室内側の面を同じく延長するように吊元側縦枠５方向に突設した前後一側にして先端に気密材を有するフイン状の吊元カバー２９とをそれぞれ長手方向一連に形成具備したものとしてあり，このとき本例にあって縦框基部２５の上記連結条４１と吊元カバー２９間の側面は，これを凹陥した湾曲面によるものとしてある。
【００１４】
このように形成した本例の縦枠アタッチメント９と吊元側縦框２４間には，その支軸４２と軸受４３とにより形成したアルミヒンジ４０を介設して，縦枠アタッチメント９に対して吊元側縦框２４を回動自在にヒンジ連結する一方，この縦枠アタッチメント９を該ヒンジ連結することによってドア２０に付した状態で，該縦枠アタッチメント９を吊元側縦枠５に添設固定するように，ドア開口枠１にドア２０を装着するものとしてある。
【００１５】
即ちアルミヒンジ４０は，縦枠アタッチメント９とドア２０の吊元側縦框２４との間に，これらにそれぞれ長手方向全長に亘る上記縦枠アタッチメント９の支軸４２と軸受４３とを長手方向にスライド嵌合することによって前後方向に回動自在としたドア開口枠１開口高さに亘るものとしてあり，該アルミヒンジ４０による連結は，縦枠アタッチメント９の支軸４２と吊元側縦框２４の軸受４３を長手方向一側端部から長手方向にスライド嵌合することによって行なうようにしてあり，このとき支軸４２の連結条４１が軸受４３の開口内に挿入されることにより，支軸４２の連結条４１と軸受４３の開口端とが回動範囲を定めるストッパーとなり，該アルミヒンジ４０は軸受４３の上記１１０°の開口幅に応じて１／４円にして前後方向の回動自在性を得るに至り，また上記スライド嵌合によって，本例にあっては縦枠アタッチメント９の湾曲条１２を吊元側縦框２４の吊元カバー２９が覆うとともに，吊元カバー２９の気密材が，湾曲条１２の固定基壁１０側の付け根付近の気密材受部に，ドア２０の閉成時に当接して該部分を更に密封するものとしてある。
【００１６】
アルミヒンジ４０の形成に際しては，支軸４２と軸受４３の抜け止め手段を施すが，本例にあってこの抜け止め手段は，吊元側縦框２４の連結条４１と軸受４３をその余と段差状をなすように切欠いて，支軸４２と軸受４３とを同長とし，これらのスライド嵌合状態でその上下端に上記段差に応じた肉厚の図示省略の軸受座を被覆配設した軸受座によるものとし，本例にあっては，上記支軸４２をＣ字突条によるものとすることによって形成されたその内側のＣ字溝をタッピングホールとし，軸受座の透孔を介した後述の上下框からのネジを該タッピングホールに螺入することによって該軸受座を固定し，軸受４３の回動自在の抜け止めを行うものとしてあり，またドア２０の框組みは，上記アルミヒンジ４０を形成した後に，吊元側縦框２４に上下框２１，２２を設置して行うものとしてあり，このとき上下框２１，２２の端部を切欠きして残存した端部水平壁を，上記軸受座の外側に重合配置して，上記軸受４３と段差状とした吊元側縦框２４のタッピングホールにネジ止めし，該吊元側縦框２４の端部全体，即ちドアの閉成時に縦枠アタッチメント９端部を含めてこれを覆うものとしてある。
【００１７】
このように吊元側縦框２４との間にアルミヒンジ４０を介設することによって吊元側縦框２４に一体化し，ドア２０に付した縦枠アタッチメント９の縦枠基体６への添設固定は，ドア開口枠１に縦枠アタッチメント９を起立した状態としてドア２０とともに挿入し，縦枠基体６近傍でこれを傾斜し，一方の係合突条１１をＣ字溝条８に嵌挿した後，これを引き寄せる如くに前後方向にけんどん状とすることによってＣ字溝条８に前後の係合突条１１を嵌合し，固定基壁１０をＣ字溝条８の底壁に対接して嵌合装着し，その仮保持の状態で，固定手段の，本例にあってネジ１３止めを，縦枠アタッチメント９の上記湾曲条１２に所定間隔に透設した図示省略の透孔を介してネジ１３を固定基壁１０側から縦枠基体６に螺入することによって固定して行うものとしてあり，このとき上記透孔は，必要に応じてプッシュボタン等によって閉塞するものとしてある。
【００１８】
なお図中２はドア開口枠１の上枠，３は下枠，４は縦枠，７は縦枠基体６に設けた厚肉のネジ受け部，１４は吊元側縦枠５を除いて同一面でドア２０の気密性を確保するように上枠２，下枠３，縦枠４に一連の連続状に設置した気密材，１５はコンクリート躯体，１６はドア開口枠１の躯体１５固定用のアンカー金具，３３はドア２０に設けた気密材，４４は支軸４２と軸受４３とに設けた上記連結条４１と軸受４３端部とによるストッパーに加えて設置した第２のストッパーをなすストッパー条である。
【００１９】
図示した例は以上のとおりとしたが，本発明の実施に当っては，縦枠アタッチメントに軸受を，ドアの吊元側端部に支軸を設置することによってアルミヒンジを構成すること，ドアをドア開口枠に外付状に設置するように，縦枠基体への縦枠アタッチメント添設固定を，縦枠基体の前後一方の外側面側において行うこと等を含めて，ドア開口枠，吊元側縦枠，ドア，吊元側縦框，アルミヒンジ，吊元カバー等の材質，形状，構造，これらの関係，これらに対する付加等の具体的な実施の形態は，これを前記発明の要旨に反しない限り様々に変更したものとすることができる。
【００２０】
【発明の効果】
本発明は以上のとおりに構成したので，請求項１に記載の発明は，吊元側縦枠とドアの吊元側端部とを密封することにより，その間の気密性，遮音性を確保するとともにドアの開閉をスムーズ且つ安定して行い得るようにし，同時に良好な納まり外観を確保し得るようにしたドアの気密吊元装置を提供することができる。
【００２１】
請求項２に記載の発明は，上記に加えて，ドア開口枠の材質に拘らず，或いはドア改修に際してこれらに対応し得るものとすることができる。
【００２２】
請求項３に記載の発明は，同じく上記に加えて，上記縦枠アタッチメントを付したドアをドア開口枠内に挿入して設置する場合に，その設置作業を容易且つ確実になし得るものとすることができる。
【図面の簡単な説明】
【図１】ドアの正面図
【図２】ドアの横断面図
【図３】ドアの縦断面図
【図４】縦枠アタッチメントと吊元側縦框の分割横断面図
【符号の説明】
１  ドア開口枠
５  吊元側縦枠
６  縦枠基体
９  縦枠アタッチメント
２０  ドア
２４  吊元側縦框
２６  縦框アタッチメント
２９  吊元カバー
４０  アルミヒンジ
４２  支軸
４３  軸受
【図１】
0003634501.tif 000002
【図２】
0003634501.tif 000003
【図３】
0003634501.tif 000004
【図４】
0003634501.tif 000005